(57)【特許請求の範囲】
【請求項１】
互いに平行な一対の下バーの両端上に、互いに平行な一対の上バーの両端を載せて四角形枠を形成し、それぞれの交点に開けた孔に連結バーを立てる構造を基本構造とし、
このような四角形枠を、間にスペーサを介在させることで複数段重ねて、前記連結バーで連結固定し、
しかも、上広がりとなるように、下側の段より上側の段の下バー間隔、上バー間隔が大きくなっており、
下部に底板を敷き、各下バーおよび上バーの内側に逆台形状の側板を立ててなることを特徴とする組み立て式植木鉢。
【請求項２】
前記の底板側において、
前記の互いに平行な一対の上バーが、前記の下バーと平行な中間下バーによって、予め中間部が連結固定されていることを特徴とする請求項１記載の組み立て式植木鉢。
【請求項３】
前記の各側板とそれぞれの側板の外側の各段の下バー、上バーとが一体化されていることを特徴とする請求項１または請求項２に記載の組み立て式植木鉢。
【請求項４】
前記の各連結バーの上端に、フックないしリングを有していることを特徴とする請求項１、請求項２または請求項３に記載の組み立て式植木鉢。
【請求項５】
互いに平行な一対の下バーの両端上に、互いに平行な一対の上バーの両端を載せて四角形枠を形成し、それぞれの交点に開けた孔に連結バーを立てる構造を基本構造とし、
このような四角形枠を、間にスペーサを介在させることで複数段重ねて、前記連結バーで連結固定し、
しかも、上広がりとなるように、下側の段より上側の段の下バー間隔、上バー間隔が大きくなっており、
下部に底板を敷き、各下バーおよび上バーの内側に逆台形状の側板を立ててなり、
前記の各側板とそれぞれの側板の外側の各段の下バー、上バーとが予め一体化または分離されている組み立て式植木鉢を用いて樹木を植えて育成しておき、
移植先に予め掘った穴の上に、前記組み立て式植木鉢を載置した状態で、前記の底板を引き抜いた後、前記の各側板を分解除去することで、樹木を前記穴に降ろして植え込むことを特徴とする組み立て式植木鉢による移植方法。
【発明の詳細な説明】
【０００１】
【産業上の利用分野】
本発明は、街路樹や庭園などの樹木を育成したり移植したりするのに適する組み立て式植木鉢と該組み立て式植木鉢を用いた移植方法に関する。
【０００２】
【従来の技術と発明が解決しようとする課題】
例えば、実開平７−７３７５号公報などに記載のような組み立て式植木鉢が知られているが、従来の組み立て式植木鉢は、いずれも組み立て・分解の作業性が悪い、内部に樹木を植えた場合の強度が弱い、移植作業性に欠ける、などの問題がある。
【０００３】
【０００４】
本発明の技術的課題は、このような問題に着目し、組み立て・分解の作業性が良く、内部に樹木を植えた場合の強度が強く、移植作業性に適した組み立て式植木鉢および移植方法を実現することにある。
【０００５】
【課題を解決するための手段】
本発明の技術的課題は次のような手段によって解決される。請求項１は、互いに平行な一対の下バーの両端上に、互いに平行な一対の上バーの両端を載せて四角形枠を形成し、それぞれの交点に開けた孔に連結バーを立てる構造を基本構造とし、このような四角形枠を、間にスペーサを介在させることで複数段重ねて、前記連結バーで連結固定し、しかも、上広がりとなるように、下側の段より上側の段の下バー間隔、上バー間隔が大きくなっており、下部に底板を敷き、各下バーおよび上バーの内側に逆台形状の側板を立ててなる組み立て式植木鉢である。
【０００６】
このように、下バーの両端の上に上バーの両端を重ねた四角形枠を、スペーサを介して複数段重ね、交点の孔に連結バーを挿入して組み立てる構造なため、各下バー、上バーの内側に側板を当てて箱状に形成し、内部に土壌を入れ樹木を植えることで、組み立て、分解式の植木鉢が可能となる。
【０００７】
また、下バー同士の間隔、上バー同士の間隔が、上広がりとなるように、下側の段より上側の段が大きくなっているため、最下部の下バーや上バーと底板を外すことで、内部の土壌を各側板の中に保持できる。
【０００８】
そのため、移植先に掘った穴の上で、底板を外し、最後に移植穴中で各側板を分解することで、容易に移植できる。また、植木鉢で育成した状態で、移植先において、そのまま移植できるので、わらやロープなどによる根回しが不要となり、作業性が向上する。しかも、剪定を要しないので、樹力が低下することもない。
【０００９】
請求項２は、請求項１記載の底板側において、前記の互いに平行な一対の上バーが、前記の下バーと平行な中間下バーによって、予め中間部が連結固定されている組み立て式植木鉢である。
【００１０】
このように、両端の下バーの間において、一対の上バーの下に、前記の下バーと平行な中間下バーを配置して、連結固定してあるため、底板をより多くの下バーの上に載置支持でき、土壌や樹木の重みに十分に耐えることができる。
【００１１】
請求項３は、請求項１または請求項２に記載の各側板とそれぞれの側板の外側の各段の下バー、上バーとが一体化されている組み立て式植木鉢である。このように、各側板とそれぞれの側板の外側の各段の下バー、上バーとが一体化されているため、部品点数が少なく、取り扱いが簡便なだけでなく、組み立てや分解作業がより容易に行なえる。
【００１２】
請求項４は、請求項１、請求項２または請求項３に記載の各連結バーの上端に、フックないしリングを有している組み立て式植木鉢である。
【００１３】
このように、各段における下バーと上バーとの交点の孔に挿通して立てる各連結バーの上端に、フックないしリングを有しているため、このフックやリングを用いてワイヤーで吊り下げることができ、組み立て式植木鉢を移動したり、移植作業したりする場合の作業が楽に行なえる。
【００１４】
また、内部に植えられている樹木と各フックやリングとの間にワイヤーやロープを張ることで、樹木が倒れないように支持するのにも利用できる。
【００１５】
請求項５は、請求項１や請求項２に記載のような組み立て式植木鉢を用いて樹木を植えて育成しておき、移植先に予め掘った穴の上に、前記組み立て式植木鉢を載置した状態で、前記の底板や下部の下バーを除去した後、前記穴の中に降ろして、穴の中で前記の各側板を分解除去して植え込むことを特徴とする組み立て式植木鉢による移植方法である。
【００１６】
このように、組み立て式植木鉢に予め樹木を植えて育成しておき、移植先に掘った穴の上に移動して、底板や下バーを除去した後、穴の中に降ろして、穴の中で上側の下バーや上バー、各側板を分解除去することで、移植することができ、移植作業が容易に行なえる。
【００１７】
【発明の実施の形態】
次に本発明による組み立て式植木鉢と移植方法が実際上どのように具体化されるか実施形態を説明する。本発明による組み立て式植木鉢は、側板分離構造と側板一体構造の２タイプに大別できる。
【００１８】
図１から図３は、側板分離タイプであり、図１はその底板側の骨組の斜視図である。互いに平行な一対の下（縦）バー１、２の両端上に、互いに平行な一対の上（横）バー３、４の両端を載せて四角形枠状に形成し、それぞれの交点に開けた上下方向の孔５〜８に連結バー９〜１２を挿通して立てる構造になっている。
【００１９】
各連結バー９〜１２の上端には、ワイヤーを通したり、フックを引っ掛けたりできるように、ネジ着脱式のリング１３またはフックを有している。また、少なくとも下端には雄ねじ１４を切ってある。さらに、中間部付近から下側にも雄ねじを要するので、結果的には、全体に雄ねじを切ってあってもよい。
【００２０】
上バー３、４の間において、下バー１、２の上に、底板１５を載せる構造になっている。なお、この底板１５は、矢印ａ１で示すように、上バー３、４の方向に出し入れする構造になっている。なお、１５ｈは取っ手用の孔であり、指を挿入できるようになっている。
【００２１】
本発明では、このような下バー１、２と上バー３、４からなる四角形枠組を複数段重ねて用いるが、底板１５を要する最も下の段だけは、前記の一対の上バー３、４が、下バー１、２と平行な中間下バー１６、１７によって、予め中間部が連結固定されている。１８は、中間下バー１６、１７と上バー３、４との固定用のボルト・ナットである。
【００２２】
図２は側板分離タイプの組立て状態であり、（１）は平面図、（２）は正面図、（３）は左側面図である。図示例は３段構造であり、Ｉ段めは、図１のように、中間下バー１６、１７に固定された上バー３、４の両端の下側に下バー１、２が重ねてある。
【００２３】
ＩＩ段めとＩＩＩ  段めは、中間下バー１６、１７が無く、下バー１、２の両端の上に上バー３、４の両端を重ねた構造になっている。そして、それぞれの交点にあけた孔５〜８に、前記の連結バー９〜１２を上下方向に挿通してある。
【００２４】
最下段（１段め）Ｉの上バー３、４と２段目ＩＩの上バー３、４との間には、スペーサ筒１９を介在させ、また２段めＩＩの上バー３、４と３段めＩＩＩ  の上バー３、４との間には、スペーサ筒２０を介在させてある。そして、これらのスペーサ筒１９、２０に連結バー９〜１２を挿通してある。
【００２５】
連結バー９〜１２を挿通するための交点の孔５〜８の間隔は、１段めより２段めの間隔を大きくし、また２段めより３段めの間隔を大きくしてある。その結果、正面や側面から見た場合、逆台形状となる。
【００２６】
組み立て順序としては、先ず図１のように、各交点の孔５〜８に連結バー９〜１２を上から挿入し、下バー１、２の下側に突出した雄ねじ部１４に、ナット２１をねじ込む。
【００２７】
次に、図１のスペーサ筒１９を各連結バー９〜１２に上から挿通し、その上に２段めの下バー１、２と上バー３、４の各交点の孔５〜８に連結バー９〜１２を挿通する。そして、スペーサ筒２０に連結バー９〜１２を挿通し、その上に３段めの下バー１、２と上バー３、４の各交点の孔５〜８に連結バー９〜１２を挿通する。その後、各連結バー９〜１２の上端に、リング１３をねじ込んで固定する。
【００２８】
なお、図１のように、各下バー１、２、中間下バー１６、１７の両端に開けた横孔２６、２７に、図１（２）（３）の通し鉄筋２８、２９を挿通して、両端にナット３０を螺合させることによって、より堅牢にできる。
【００２９】
最後に、上バー３、４の内側に、逆台形状の側板２２、２３を立て、そして、下バー１、２の内側において、前記の側板２２、２３の間に、逆台形状の側板２４、２５を立てる。
【００３０】
前後の側板２４、２５の下端と前後の下バー１、２との間に、底板１５の出し入れ用の隙間Ｇができるように、前後の側板２４、２５の下端は短くしてある。なお、片方の側板２４または２５のみを短くして、片方からのみ抜き差しできる構造にしてもよい。
【００３１】
したがって、この隙間から、底板１５を横から挿入することで、各下バー１、２および中間下バー１６、１７の上に底板１５を載せる。この状態で、各側板２２〜２５の内側に土壌を入れ、樹木を植える。
【００３２】
このようにして、樹木を植えて育成した後、道路等に移送して設置することで、街路樹として利用できる。また、冬場などのように、街路樹の樹力が低下するような場合は、再度農園に戻して、樹力がつくまで丁寧に育樹することができる。
【００３３】
本発明の組み立て式植木鉢を用いると、予め組み立て式植木鉢の中で育成した樹木を移植するのにも適している。すなわち、図３のように、移植先に、予め移植用の穴３１を掘っておき、その上で、土壌３２中に樹木３３を植えた組み立て式植木鉢３４を、リング１３にワイヤーＷの下端のフックを引っかけて、クレーン車でつり下げる。
【００３４】
樹木３３の根が土壌３２の全体に張り巡らされているため、土壌３２は樹木３３の根でしっかりと束ねられた状態となっている。その結果、土壌３２が、上広がりの逆台形状の各側板２２〜２５によって支持されるので、底板１５や図１の最下段の下バー１、２や上バー３、４、中間下バー１６、１７を除去しても、土壌３２や樹木３３が落下することはない。
【００３５】
このような移植に用いる植木鉢の場合は、下側のスペーサ筒１９の上側に、予め支持ナット３５を螺合させてある。そのため、ワイヤーＷで吊り下げた状態で、下端のナット２１を外して、下段の下バー１、２および上バー３、４と一緒に中間下バー１６、１７を連結バー９〜１２から抜き取り、底板１５を除去すると、土壌３２と樹木３３が側板２２〜２５で支持されて残る。
【００３６】
次に、穴３１中に降ろして、穴３１中でナット３５を外して、連結バー９〜１２を上側に抜き取り、２段め、３段めの下バー１、２および上バー３、４を分解し、側板２２〜２５を除去する。そして、覆土すると、移植が完了する。
【００３７】
以上の実施形態において、各下バー１、２および上バー３、４は、円形のバーでも、四角形の場合でもよく、断面形状は特に限定されない。図４のように、側板２２〜２５側のみ、側板２２〜２５と面接触できるように傾斜した平面形状とし、また上側と下側を水平の平面形状とし、外側のみ半円状の曲面とし、ほぼ蒲鉾状の断面形状とすることもできる。
【００３８】
また、丸太様の棒状でもよく、中空の筒体でもよい。材質も、木質でも金属製でも合成樹脂製でもよい。側板２２〜２５の材質も特に限定されない。
【００３９】
サイズもいろいろ可能であり、例えば１辺が１ｍ程度あるいは１ｍ以上も１ｍ以下も可能である。また、図２のように、予備孔５ａ、５ｂ…８ａ、８ｂを開けておけば、この予備孔５ａ、５ｂ…８ａ、８ｂに連結バー９〜１２を挿通すれば、鎖線で示す位置に連結バー９〜１２が位置するので、小型の植木鉢を形成できる。したがって、同一の植木鉢において、大小２種類のサイズが可能となる。
【００４０】
図５以降は、側板一体タイプの実施形態であり、図１、図２における左側の側板２２と左側の１〜３段の上バー３・３・３が一体になっている。同様に、右側の側板２３と右側の１〜３段の上バー４・４・４が一体になっている。
【００４１】
図５（１）（２）は、左側の側板２２と左側の１〜３段の上バー３・３・３が一体になっている側板であり、図５（３）は、右側の側板２３と右側の１〜３段の上バー４・４・４が一体になっている側板である。
【００４２】
また、図２における後方の側板２４と後方の２・３段めの下バー１・１が一体になっている。同様に、手前の側板２５と手前の２・３段めの下バー２・２が一体になっている。
【００４３】
図５における（４）（５）は、後方の側板２４と後方の２・３段めの下バー１・１が一体になっている側板であり、図５（６）は、手前の側板２５と手前の２・３段めの下バー２・２が一体になっている側板である。
【００４４】
図６は側板一体タイプにおける組み立て方法を示す図、図７は組み立て完了した状態の断面図である。先ず、図１における下バー１、２に相当する下バー１、２を、間隔をおいて互いに平行に配置する。そして、それぞれの両端に、前記の左右の一体構造の側板２２、２３を立てる。また、両側板２２、２３の間に、後方の側板２４と手前の側板２５を立てる。
【００４５】
このとき、左右の側板２２、２３の上バー３、４の両端の下側に前後の側板２４、２５の下バー１、２の両端が位置するように、配置する。
【００４６】
そして、前後の下バー１、２と左右の上バー３、４との交点の孔５〜８に連結バー９〜１２を上から差し込み、前記下バー１、２の下側に突出した雄ねじ部１４にナット２１を嵌める。
【００４７】
この側板一体タイプの場合は、各段の下バーや上バーが側板と一体になっているので、上下の下バーや上バー間のスペーサ筒１９、２０は必ずしも必要ではない。しかしながら、より堅牢に組み立てるためには、上側のスペーサ筒２０に連結バー９〜１２を挿通し、しかも支持ナット３５を螺合させ、かつ下側のスペーサ筒１９に連結バー９〜１２を挿通することが望ましい。
【００４８】
また、前後左右の側板を位置決めした状態で、上から連結バー９〜１２を差し込むので、各連結バー９〜１２の上端に予めリング１３やフックが一体に固定されたものを用いることができる。
【００４９】
前後の側板２４、２５には、１段めの下バー１、２がついておらず、別体であり、しかも１段めの下バー１、２との間に隙間ができるように、前後の側板２４、２５の下端は短くなっている。したがって、この隙間から、底体１５を出し入れできる。
【００５０】
底板１５をより強固に支持できるように、下バー１と２との間に、任意数の中間下バー１６、１７を配置して、図１の横孔２６に相当する横孔を開けて、通し鉄筋２８を水平に挿通して、両端にナット３０、３０をネジ込むこともできる。
【００５１】
この側板一体タイプの植木鉢の使用方法も、側板分離タイプの植木鉢の場合と全く同様である。すなわち、図７の状態で、内部に土壌を入れ樹木を植えて育成し、成長した時点で、目的の場所に移送して設置する。
【００５２】
移植に用いる場合は、図３の場合と同様に、移植先に掘った移植用穴の上で、樹木が植わっている組み立て式植木鉢のリング１３をワイヤーＷで吊り下げる。次に、各連結バー９〜１２の下端のナット２１を外して、下バー１、２および上バー３、４と一緒に中間下バー１６、１７を連結バー９〜１２から抜き取り、かつ底板１５を除去すると、土壌と樹木が側板２２〜２５で支持されて残る。
【００５３】
次に、移植穴の中に降ろして、穴の中で支持ナット３５を外して、連結バー９〜１２を上側に抜き取ると、下バー１、２と一体の側板２４、２５および上バー３、４と一体の側板２２、２３を分解し、除去する。そして覆土すると、移植が完了する。
【００５４】
側板一体タイプの植木鉢の場合、図１から図３のように、各下バー１と側板２４、下バー２と側板２５、上バー３と側板２２、上バー４と側板２３とを別々の部材で構成し、後でボルト・ナットで連結して一体化してもよい。
【００５５】
あるいは、図５から図７のように、各下バー１と側板２４、下バー２と側板２５、上バー３と側板２２、上バー４と側板２３とを、最初から一体に形成した構造も可能である。例えば、ＦＲＰなどによって、一体成型できる。
【００５６】
なお、説明の便宜上、縦側を下バー１、２と表現し、横側を上バー３、４と表現したが、逆に横側を下バー１、２と、縦側を上バー３、４とすることも可能である。
【００５７】
【発明の効果】
請求項１によると、下バーの両端の上に上バーの両端を重ねた四角形枠を、スペーサを介して複数段重ね、交差点の孔に連結バーを挿入して組み立てる構造なため、各下バー、上バーの内側に側板を当てて箱状に形成し、内部に土壌を入れ樹木を植えることで、組み立て、分解式の植木鉢が可能となる。
【００５８】
また、下バー同士の間隔、上バー同士の間隔が、上広がりとなるように、下側の段より上側の段が大きくなっているため、最下部の下バーや上バーと底板を外すことで、内部の土壌を各側板の中に保持できる。
【００５９】
そのため、移植先に掘った穴の上で、底板を外し、最後に移植穴中で各側板を分解することで、容易に移植できる。また、植木鉢で育成した状態で、移植先において、そのまま移植できるので、根回しが不要となり、作業性が向上する。しかも、剪定を要しないので、樹力が低下することもない。
【００６０】
請求項２によると、両端の下バーの間において、一対の上バーの下に、前記の下バーと平行な中間下バーを配置して、連結固定してあるため、底板をより多くの下バーの上に載置支持でき、土壌や樹木の重みに十分に耐えることができる。
【００６１】
請求項３によると、各側板とそれぞれの側板の外側の各段の下バー、上バーとが一体化されているため、組み立てや分解作業がより容易に行なえる。
【００６２】
請求項４によると、各段における下バーと上バーとの交点の孔に挿通する各連結バーの上端に、フックないしリングを有しているため、このフックやリングを用いてワイヤーで吊り下げることができ、組み立て式植木鉢を移動したり、移植作業したりする場合の作業が楽に行なえる。
【００６３】
また、内部に植えられている樹木と各フックやリングとの間にワイヤーやロープを張ることで、樹木が倒れないように支持するのにも利用できる。
【００６４】
請求項５によると、組み立て式植木鉢に予め樹木を植えて育成しておき、移植先に掘った穴の上に移動して、底板側の下バーや上バーを分解し、かつ底板を除去した後、穴の中に降ろして、穴の中で上側の下バーや上バー、各側板を分解除去するため、移植作業が容易に行なえる。
【図面の簡単な説明】
【図１】側板分離タイプの植木鉢における、底板側の骨組の斜視図である。
【図２】側板分離タイプの植木鉢であり、（１）は平面図、（２）は正面図、（３）は左側面図である。
【図３】側板分離タイプの植木鉢を用いた移植方法を示す縦断面図である。
【図４】側板側と上下面を平面として、外側を半円状の曲面としたかまぼこ形の下バー、上バーによって組み立てた植木鉢の実施形態の縦断面図である。
【図５】側板一体タイプの実施形態における、下バーおよび上バーと対応する側板との一体構造を示す斜視図と断面図である。
【図６】側板一体タイプの実施形態における、組み立て方法を示す斜視図である。
【図７】側板一体タイプの植木鉢の組み立て完了した状態の断面図である。
【符号の説明】
１・２  下（縦）バー
３・４  上（横）バー
５〜８  交点の孔
９〜１２  連結バー
１３  着脱式のリングまたはフック
１５  底板
１６・１７  中間下バー
１９・２０  スペーサ筒
２２・２３  逆台形状の側板
２４・２５  逆台形状の側板
２６・２７  横孔
２８・２９  通し鉄筋
３１  移植用の穴
３２  土壌
３３  樹木
３４  組み立て式植木鉢
３５  支持ナット
【図１】
0003553826.tif 000002
【図２】
0003553826.tif 000003
【図３】
0003553826.tif 000004
【図４】
0003553826.tif 000005
【図５】
0003553826.tif 000006
【図６】
0003553826.tif 000007
【図７】
0003553826.tif 000008